(57)【要約】      （修正有）【課題】１フレームを構成する複数個のサブフィールドの期間長に重みを付ける場合に、１フレームでみたときの極性バランスが崩れにくくする。【解決手段】１フレームを分割するサブフィールドｓｆ１〜ｓｆ２０を時間の順に第１グループおよび第２グループに分け、第１グループに属するのサブフィールドｓｆ１〜ｓｆ２０に対し、画素の書込極性を時間の順に交互に正極性および負極性に割り当て、第１グループの最後に位置するサブフィールドｓｆ１０に割り当てられた負込極性を、第２グループの先頭に位置するサブフィールドｓｆ１１に割り当てて、書込極性とを同一とし、第２グループに属するサブフィールドｓｆ１１〜ｓｆ２０に対し、画素の書込極性を時間の順に交互に負極性および正極性に割り当てる。【選択図】図３
2012113079.tif 000002
【特許請求の範囲】
【請求項１】
１フレームを複数のサブフィールドに分割するとともに、前記サブフィールド毎に画素
をオンまたはオフのいずれかに制御して階調表示を行う電気光学装置の駆動方法であって
、
前記複数のサブフィールドを時間の順に少なくとも第１グループおよび第２グループに
分け、
前記第１グループに属するの複数のサブフィールドに対し、前記画素の書込極性を時間
の順に交互に正極性および負極性に割り当て、
前記第１グループの最後に位置するサブフィールドに割り当てられた書込極性と、前記
第２グループの先頭に位置するサブフィールドに割り当てられた書込極性とを同一とし、
前記第２グループに属する複数のサブフィールドに対し、前記画素の書込極性を時間の
順に交互に正極性および負極性に割り当てた
ことを特徴とする電気光学装置の駆動方法。
【請求項２】
前記複数のサブフィールドを、前記第２グループの後に、第ｎグループ（ｎは３以上の
整数）まで分け、
一のグループの最後に位置するサブフィールドに割り当てられた書込極性と、前記一の
グループの次のグループの先頭に位置するサブフィールドに割り当てられた書込極性とを
同一とし、
各グループに分類されるサブフィールドに対し、前記画素の書込極性を時間の順に交互
に正極性および負極性に割り当てた
ことを特徴とする請求項１に記載の電気光学装置の駆動方法。
【請求項３】
前記第１グループから前記ｎグループまでにおいて、
各グループを構成するサブフィールドの個数を２以上の偶数とする
ことを特徴とする請求項２に記載の電気光学装置の駆動方法。
【請求項４】
前記グループに属するサブフィールドの配列および重みが、
前記第１グループから前記ｎグループまでにわたって共通である
ことを特徴とする請求項２に記載の電気光学装置の駆動方法。
【請求項５】
１フレームを複数のサブフィールドに分割するとともに、前記サブフィールド毎に画素
をオンまたはオフのいずれかに制御して階調表示を行う電気光学装置であって、
前記複数のサブフィールドを時間の順に少なくとも第１グループおよび第２グループに
分け、
前記第１グループに属するの複数のサブフィールドに対し、前記画素の書込極性を時間
の順に交互に正極性および負極性に割り当て、
前記第１グループの最後に位置するサブフィールドに割り当てられた書込極性と、前記
第２グループの先頭に位置するサブフィールドに割り当てられた書込極性とを同一とし、
前記第２グループに属する複数のサブフィールドに対し、前記画素の書込極性を時間の
順に交互に正極性および負極性に割り当てて、
前記画素を駆動する
ことを特徴とする電気光学装置。
【発明の詳細な説明】
【技術分野】
【０００１】
本発明は、１フレームを分割した複数のサブフィールドの各々において画素をオンまた
はオフのいずれかで駆動する技術に関する。
【背景技術】
【０００２】
例えば液晶素子を画素に有する電気光学装置において、階調表示を行うために次のよう
な技術が提案されている。すなわち、１フレーム（１フィールド）を分割した複数のサブ
フィールド毎に画素（表示素子）をオンまたはオフのいずれかで駆動するとともに、オン
（またはオフ）で駆動する時間の割合を変化させて中間階調を表示する技術が提案されて
いる（特許文献１参照）。
【先行技術文献】
【特許文献】
【０００３】
【特許文献１】特開２００７−１４８４１７号公報（図６、段落００９９）
【発明の概要】
【発明が解決しようとする課題】
【０００４】
ところで、液晶素子に直流電圧成分が印加されると、分極などによって液晶自体が劣化
し、いわゆる焼き付きという現象が発生する。このため、図１０に示されるように、１フ
レームを前半と後半とに２分割するとともに、前半フレームと後半フレームとをさらに同
じ個数のサブフィールドに等分割する構成が考えられた。このような構成では、液晶素子
を例えば前半フレームにおいて正極性で駆動し、後半フレームにおいて負極性で駆動する
とともに、前半と後半とで同じオンオフパターンで駆動する。この駆動方法において液晶
素子が例えばノーマリーブラックモードであれば、前半フレームも後半フレームについて
時間的に先頭に位置するサブフィールドを起点とし、指定される階調が明るくなるにつれ
て、オンさせるサブフィールドが時間的に後方に連続するように制御される。この駆動方
法によれば、１フレームでみたときに、正極性でオンするサブフィールドの期間和と負極
性でオンするサブフィールドの期間和とが互いに等しくなって、極性がバランスする。こ
のため、液晶素子において、１フレームを単位とした交流駆動が可能になる。ただし、こ
の技術では、１フレームのうち、階調表現に用いるサブフィールド数が１フレームを構成
するサブフィールド数の半分になってしまうので、表現可能な階調数が低下する。
一方で、図１１に示されるように、１フレームを等分割した複数のサブフィールドを正
極性駆動用と負極性駆動用とで交互に配置するとともに、例えば時間的に先頭に位置する
サブフィールドを起点とし、指定される階調が明るくなるにつれて、オンさせるサブフィ
ールドを時間的に後方に連続させる駆動方法も考えられた。
【０００５】
しかしながら、図１０に示した駆動方法も図１１に示した駆動方法も、いずれもサブフ
ィールドの期間が互いに等しい構成を前提としている。少ないサブフィールド数で多くの
階調の表現するために、サブフィールドを等期間ではなく、重みを付けて、すなわち異な
る期間に設定する場合がある。このような場合に、正極性と負極性とで交互配置させると
、表現しようとする階調によっては、液晶素子に印加される電圧の極性バランスが大きく
崩れて直流成分が印加されてしまう、という問題があった。
本発明は、上述した事情に鑑みてなされたもので、その目的の一つは、サブフィールド
の期間長に重みを付ける場合であっても、１フレームでみたときの極性バランスが崩れに
くくする技術を提供することにある。
【課題を解決するための手段】
【０００６】
上記目的を達成するために、本発明に係る電気光学装置の駆動方法にあっては、１フレ
ームを複数のサブフィールドに分割するとともに、前記サブフィールド毎に画素をオンま
たはオフのいずれかに制御して階調表示を行う電気光学装置の駆動方法であって、前記複
数のサブフィールドを時間の順に少なくとも第１グループおよび第２グループに分け、前
記第１グループに属するの複数のサブフィールドに対し、前記画素の書込極性を時間の順
に交互に正極性および負極性に割り当て、前記第１グループの最後に位置するサブフィー
ルドに割り当てられた書込極性と、前記第２グループの先頭に位置するサブフィールドに
割り当てられた書込極性とを同一とし、前記第２グループに属する複数のサブフィールド
に対し、前記画素の書込極性を時間の順に交互に正極性および負極性に割り当てたことを
特徴とする。この駆動方法によれば、グループに分けないで、単純に極性を交互に反転し
て駆動する方法と比較して、特にオンするサブフィールドの期間和が大きいときに、一方
の極性に大きく偏ってしまう状況を改善することができる。
【０００７】
上記駆動方法において、前記複数のサブフィールドを、前記第２グループの後に、第ｎ
グループ（ｎは３以上の整数）まで分け、一のグループの最後に位置するサブフィールド
に割り当てられた書込極性と、前記一のグループの次のグループの先頭に位置するサブフ
ィールドに割り当てられた書込極性とを同一とし、各グループに分類されるサブフィール
ドに対し、前記画素の書込極性を時間の順に交互に正極性および負極性に割り当てると、
極性の偏りをより是正することができる。
また、前記第１グループから前記ｎグループまでにおいて、各グループを構成するサブ
フィールドの個数を２以上の偶数としても良いし、前記グループに属するサブフィールド
の重みの配列が前記第１グループから前記ｎグループまでにわたって共通としても良い。
これにより、極性の偏りをさらに改善することができる。
なお、本発明は、電気光学装置の駆動方法のほか、電気光学装置それ自体として概念す
ることが可能である。
【図面の簡単な説明】
【０００８】
【図１】第１実施形態の駆動方法が適用される液晶表示装置の構成を示す図である。
【図２】液晶表示装置における画素の構成を示す図である。
【図３】液晶表示装置におけるサブフィールドの構成を示す図である。
【図４】液晶表示装置におけるワーストケースを示す図である。
【図５】液晶表示装置における他のサブフィールドの構成を示す図である。
【図６】第２実施形態の駆動方法におけるサブフィールドの構成を示す図である。
【図７】他のサブフィールドの構成を示す図である。
【図８】他のサブフィールドの構成を示す図である。
【図９】他のサブフィールドの構成を示す図である。
【図１０】従来の駆動例を示す図である。
【図１１】別の従来の駆動例を示す図である。
【図１２】比較例に係る駆動方法を示す図である。
【発明を実施するための形態】
【０００９】
以下、本発明の実施形態について図面を参照して説明する。
図１は、第１実施形態に係る駆動方法が適用される液晶表示装置１の全体構成を示すブ
ロック図である。この図に示されるように、電気光学装置１は、制御回路１０、メモリー
２０、変換部３０、表示回路１００、走査線駆動回路１３０およびデータ線駆動回路１４
０に大別される。
このうち、制御回路１０は、図示省略した上位装置から供給される垂直走査信号Ｖs、
水平走査信号Ｈsおよびドットクロック信号Ｃlkに同期して各部を制御する。
表示回路１００には、画素１１０がマトリクス状に配列している。詳細には、表示回路
１００には、１０８０行の走査線１１２が図においてＸ（水平）方向に延在する一方、１
９２０列のデータ線１１４が走査線１１２と電気的な絶縁を保ちつつ、図においてＹ（垂
直）方向に延在している。そして、走査線１１２とデータ線１１４との交差に対応するよ
うに画素１１０がそれぞれ設けられている。したがって、本実施形態において、画素１１
０は、表示回路１００において縦１０８０行×横１９２０列のマトリクス状に配列するこ
とになる。ただし、本発明をこの配列に限定する趣旨ではない。
【００１０】
メモリー２０は、縦１０８０行×横１９２０列で配列する画素の各々に対応した記憶領
域を有し、各記憶領域は、それぞれ画素１１０に対応した映像信号Ｖidを記憶する。映像
信号Ｖidは、画素１１０の明るさ（階調レベル）を指定するデジタルデータである。なお
、この映像信号Ｖidは、図示省略した上位装置から供給され、制御回路１０によって画素
に対応する記憶領域に記憶される一方で、表示回路１００における走査される画素に対応
したものがメモリー２０から表示データＤaとして読み出される構成となっている。
変換部３０は、読み出された表示データＤaを、当該表示データＤaで指定される階調レ
ベルと、データｓfnで規定されるサブフィールドとにしたがって、画素１１０（液晶素子
）をオンまたはオフさせるかを示す表示ビットＤbに変換するものである。
【００１１】
説明の便宜上、画素１１０の構成について図２を参照して説明する。図２は、画素１１
０の等価回路を示す図であり、ｉ行およびこれに隣接する（ｉ＋１）行と、ｊ列およびこ
れに隣接する（ｊ＋１）列との交差に対応する２×２の４画素分の構成が示されている。
ここで、ｉ、（ｉ＋１）は、画素１１０が配列する行を一般的に示す場合の記号であっ
て、本実施形態では、１以上１０８０以下の整数であり、ｊ、（ｊ＋１）は、画素１１０
が配列する列を一般的に示す場合の記号であって、１以上１９２０以下の整数である。
【００１２】
図２に示されるように、各画素１１０は、ｎチャネル型のＴＦＴ（Thin Film Transist
or：薄膜トランジスター）１１６と液晶素子１２０と補助容量１２５とを含む。
ここで、各画素１１０については互いに同一構成なので、ｉ行ｊ列に位置するものを例
にとって説明すると、当該ｉ行ｊ列の画素１１０におけるＴＦＴ１１６のゲート電極はｉ
行目の走査線１１２に接続される一方、そのソース電極はｊ列目のデータ線１１４に接続
され、そのドレイン電極は液晶素子１２０の一端たる画素電極１１８と補助容量１２５の
一端に接続されている。また、液晶素子１２０の他端は、コモン電極１０８である。この
コモン電極１０８は、全ての画素１１０にわたって共通であって、本実施形態では電圧Ｌ
Ｃcomに保たれている。また、補助容量１２５の他端は、容量線１１５であり、全ての画
素１１０にわたって共通であって、コモン電極１０８と同じ電圧ＬＣcomに保たれている
。このため、補助容量１２５は、画素１１０毎に液晶素子１２０に対して並列に接続され
た構成になっている。
なお、本実施形態において、液晶素子１２０は、例えば透過型であって、電圧無印加状
態で透過率が最小になるノーマリーブラックモードとする。
【００１３】
表示回路１００は、走査線１１２や、データ線１１４、ＴＦＴ１１６、画素電極１１８
、補助容量１２５などが形成された素子基板と、コモン電極１０８が形成された対向基板
とが一定の間隙を保って、電極形成面が互いに対向するように貼り合わせられるとともに
、この間隙に液晶１０５が封止された構成となっている。このため、液晶素子１２０は、
画素電極１１８とコモン電極１０８とが誘電体たる液晶１０５を挟持した構成になる。
本実施形態では、素子基板および対向基板にガラス等の透明基板を用いるとともに、素
子基板の対向面には、高温ポリシリコンプロセスによって、ＴＦＴ１１６などとともに走
査線駆動回路１３０、データ線駆動回路１４０が形成される。なお、素子基板にシリコン
基板を用いて、いわゆるＬＣＯＳ（Liquid Crystal on Silicon）型として、制御回路１
０や、メモリー２０、変換部３０をすべて形成した構成としても良い。ＬＣＯＳ型の場合
、液晶素子１２０は反射型となる。
【００１４】
説明を再び図１に戻すと、走査線駆動回路１３０は、制御回路１０から供給されるスタ
ートパルスＤyをクロック信号Ｃlyにしたがって順次シフトし、走査信号Ｇ1、Ｇ2、Ｇ3、
…、Ｇ1080として、１、２、３、…、１０８０行目の走査線１１２に供給する。
データ線駆動回路１４０は、変換部３０によって変換された表示ビットＤbを、クロッ
ク信号Ｃlxで順次サンプリングするとともに、信号Ｆrpで指定された極性の電圧に変換し
て、データ信号ｄ1、ｄ2、ｄ3、…、ｄ1920として、１、２、３、…、１９２０列目のデ
ータ線１１４に供給する。
信号Ｆrpは、画素（液晶素子１２０）への書込極性を指定する信号であり、例えばＨレ
ベルであれば正極性書込を、Ｌレベルであれば負極性書込を、それぞれ指定する。ここで
、書込極性については、画素電極１１８がコモン電極１０８よりも高位側とする場合を正
極性とし、低位側とする場合を負極性とする。
【００１５】
一般に、液晶素子１２０によって階調を表現する場合、走査線１１２を選択し、Ｈレベ
ルとしてＴＦＴ１１６をオンさせて、データ線１１４を介して液晶素子１２０に目的とす
る階調に応じたアナログ電圧を印加する、という電圧変調方式（アナログ駆動）が採られ
る。これに対して、本実施形態では、画素電極１１８にオン電圧またはオフ電圧のいずれ
かのみを印加して次のようにして階調表示を行う。詳細には、本実施形態において階調表
示は、１フレームを複数のサブフィールドに分割するとともに、各サブフィールドにおい
て画素電極１１８にオン電圧またはオフ電圧のいずれかを印加して、１フレームでみたと
きに液晶素子１２０をオン状態またはオフ状態とさせる期間の割合を変化させることによ
って中間階調を表現する、というデジタル駆動によって実行する。
【００１６】
そこで次に、本実施形態におけるサブフィールドの構成について説明する。図３は、本
実施形態におけるサブフィールドの構成を示す図である。
この図において、１フレームとは、１カット（コマ）分の映像信号Ｖidが上位装置から
供給される期間、または、１カットの分の画像を表示回路１００が形成するのに要する期
間をいい、垂直走査信号Ｖsの周波数が６０Ｈｚである場合、その１周期分の１６．６７
ミリ秒になる。
【００１７】
この図に示されるように、本実施形態において、１フレームの期間は、期間長が互いに
異なる２０個のサブフィールドに分割されている。便宜的に、各サブフィールドについて
は１フレームの先頭から順番にｓｆ１、ｓｆ２、ｓｆ３、…、ｓｆ２０と呼ぶことにする
。ここで、サブフィールドｓｆ１〜ｓｆ２０の期間長が互いに異ならせている理由は、上
述したように等分割した場合と比較して、液晶の状態を、より細かくコントロールし、少
ないサブフィールド数で多くの階調を表現するためである。
詳細には、サブフィールドｓｆ１の期間長を「１」という重みで正規化して表現した場
合、サブフィールドｓｆ２〜ｓｆ２０については、順に「２」、「４」、「７」、「１１
」、「１６」、「２２」、「２９」、「３７」、「４６」、「５６」、「６７」、「７９
」、「９２」、「１０６」、「１２１」、「１３７」、「１５４」、「１７２」、「１９
１」に設定されている。すなわち、本実施形態におけるサブフィールドの重みは、初期値
が「１」であって、隣り合うサブフィールド同士の重みの差分が「１」ずつ段階的に増加
する階差数列で規定されている。
【００１８】
このようなサブフィールドｓｆ１〜ｓｆ２０に対して、本実施形態では、サブフィール
ドｓｆ１〜ｓｆ１０を第１Ｇ（グループ）とし、サブフィールドｓｆ１１〜ｓｆ２０を第
２Ｇとして分類している。
さらに、サブフィールドｓｆ１〜ｓｆ２０に対して、本実施形態では、書込極性が、次
のように割り当てられている。すなわち、第１グループに属するサブフィールドｓｆ１〜
ｓｆ１０に対しては、図３の信号Ｆrpで示されるように、正極性および負極性が交互に割
り当てられている。詳細には、第１グループのサブフィールドｓｆ１〜ｓｆ１０のうち、
奇数番目のサブフィールドｓｆ１、ｓｆ３、ｓｆ５、ｓｆ７、ｓｆ９に対して正極性が割
り当てられ、偶数番目のサブフィールドｓｆ２、ｓｆ４、ｓｆ６、ｓｆ８、ｓｆ１０に対
して負極性が割り当てられる。
次に、第１グループにおいて時間的に最後に位置するサブフィールドｓｆ１０に割り当
てられた負極性が、第２グループにおいて時間的に先頭に位置するサブフィールドｓｆ１
１にも割り当てられる。このため、第１グループと第２グループとの境界（図において下
向きの黒三角で示された部分）を挟むサブフィールドｓｆ１０と、ｓｆ１１とでは負極性
書込が連続することになる。
続いて、第２グループに属するサブフィールドｓｆ１１〜ｓｆ２０に対し、書込極性が
交互となるように割り当てられる。ここで、サブフィールドｓｆ１１には負極性が割り当
てられているので、第１グループとは逆に、第２グループでは、奇数番目のサブフィール
ドｓｆ１１、ｓｆ１３、ｓｆ１５、ｓｆ１７、ｓｆ１９に対して負極性が割り当てられ、
偶数番目のサブフィールドｓｆ１２、ｓｆ１４、ｓｆ１６、ｓｆ１８、ｓｆ２０に対して
正極性が割り当てられる。
【００１９】
本実施形態において、表示データＤaによって指定される階調レベルに対し、サブフィ
ールドｓｆ１〜ｓｆ２０のオンオフは、おおよそ次のように割り当てられる。
すなわち、指定される階調が明るくなるにつれて、重みの小さなサブフィールドから順
番にオンさせるとともに、オンするサブフィールドの期間和が徐々に長くなるように、サ
ブフィールドのｓｆ１〜ｓｆ２０のオンオフが規定される。このため例えば、表示データ
Ｄaによって指定される階調が最も暗いレベルであれば、サブフィールドｓｆ１〜ｓｆ２
０に対し、すべてオフにされる。以降、指定される階調が明るくなるにつれて、オンする
サブフィールドの期間和が長くなるように、サブフィールドのｓｆ１〜ｓｆ２０のオンオ
フが規定され、最終的に、指定される階調が最も明るいレベルであれば、サブフィールド
ｓｆ１〜ｓｆ２０がすべてオンにされる。
このようにサブフィールドｓｆ１〜ｓｆ２０のオンオフが規定されている理由は、階調
レベルを段階的に変化させたときに、１フレームにおいてオン（オフ）しているサブフィ
ールドの時間重心の移動量をできるだけ小さくするためである。すなわち互いに隣り合っ
た２つの画素の階調レベルが似通っている場合に、１フレームにおいてオン（オフ）して
いるサブフィールドの時間重心が離れていると、当該２つ画素による表示の境において疑
似輪郭が発生してしまうので、この疑似輪郭を抑えるためである。
変換部３０には、具体的な変換内容については特に示さないが、表示データＤaによっ
て指定される階調レベル毎に、サブフィールドｓｆ１〜ｓｆ２０をオンまたはオフにする
かを規定するテーブルが予め記憶されている。
【００２０】
次に、実施形態に係る液晶表示装置１の動作について説明する。
制御回路１０は、図３に示されるように垂直走査信号Ｖsが供給されると、当該垂直走
査信号Ｖsで規定される１垂直走査期間（フレーム）において、特に図示しないが、スタ
ートパルスＤyを、サブフィールドｓｆ１〜ｓｆ２０の先頭タイミングで出力するととも
に、クロック信号Ｃlyを生成して、走査線駆動回路１３０に供給する。
また、制御回路１０は、信号Ｆrpを、第１グループにおける奇数番目のサブフィールド
期間および第２グループにおける偶数番目のサブフィールド期間にわたってＨレベルとし
、第１グループにおける偶数番目のサブフィールド期間および第２グループにおける奇数
番目のサブフィールド期間にわたってＬレベルとする。
さらに、制御回路１０は、１フレームの開始時からスタートパルスＤyを出力した回数
をカウントして、そのカウント回数を、現時点における表示回路１００のサブフィールド
を示すデータｓfnとして変換部３０に供給する。
【００２１】
制御回路１０は、垂直走査信号Ｖs、水平走査信号Ｈsおよびドットクロック信号Ｃlkに
同期して供給される映像信号Ｖidをメモリー２０に一旦格納する。
メモリー２０に格納した後、制御回路１０は、各サブフィードにおいて、ある行の走査
線の選択前に、当該行であって１〜１９２０列の画素に対応した表示データＤaをメモリ
ー２０から読み出す。変換部３０は、読み出された映像信号Ｄbを、階調レベルとデータ
ｓfnで示されるサブフィールドとに応じて、表示ビットＤbに画素毎に変換する。
【００２２】
走査線駆動回路１３０は、スタートパルスＤyを、クロック信号Ｃlyにしたがって転送
することによって、各サブフィールドにおいて走査信号Ｇ1〜Ｇ1080を順番にＨレベルに
する。ここで、ある行の走査線が走査線駆動回路１３０によって選択される前に、メモリ
ー２０から当該行の表示データＤaが読み出されて、変換部３０によって表示ビットＤbに
変換されているので、データ線駆動回路１４０には、当該走査線の選択前において、当該
走査線に対応する１〜１９２０列の画素に対応し、かつ、当該選択において書き込むべき
サブフィールドに対応した表示ビットＤbが供給されていることになる。
データ線駆動回路１４０は、当該１行分の表示ビットＤbを、それぞれオン電圧または
オフ電圧に、信号Ｆrpで指定された極性のデータ信号に変換するとともに、当該行の走査
線が選択されたときに、データ信号を１〜１９２０列のデータ線１１４に供給する。
当該行の走査線が選択されたとき、データ線１１４に供給されたデータ信号は、当該行
に対応するＴＦＴ１１６が導通状態となることによって液晶素子１２０の画素電極１１８
に印加され、これにより、当該液晶素子１２０は、指定された極性でオンまたはオフ駆動
されることになる。
なお、当該走査線の選択が終了すると、ＴＦＴ１１６が非導通状態となるが、液晶素子
１２０は、ＴＦＴ１１６の導通状態であったときに画素電極１１８に印加された電圧を容
量性によって保持するので、次回走査線が再び選択されるまで、オンまたはオフ駆動が維
持される。
【００２３】
このような動作が１つのサブフィールドにおいて１〜１０８０行目について順番に実行
される。さらに、この１つサブフィールドの動作が１フレームにおいてサブフィールドｓ
ｆ１〜ｓｆ２０の順番に実行される。
これにより、各画素は、サブフィールドｓｆ１〜ｓｆ２０のそれぞれにおいて、表示ビ
ットＤbに応じてオンまたはオフ駆動されるので、１フレームを単位期間としてみたとき
の平均的な透過率は、指定された階調に応じた値となって、これにより液晶素子において
実際に階調が表現されるとともに、１フレームにおいて液晶素子１２０の交流駆動が完結
することになる。
【００２４】
ここで、本実施形態に対して比較の対象となる比較例について図１２を参照して説明す
る。この比較例では、図３で示したサブフィールドｓｆ１〜ｓｆ２０とは、重みについて
は全く同じであるが、本実施形態のように第１グループおよび第２グループに分けること
なく、奇数番目のサブフィールドについて正極性とし、偶数番目のサブフィールドについ
て負極性として、単純に書込極性を交互に反転させたものである。
この比較例において、画素に対して最も明るい階調とさせるためにサブフィールドｓｆ
１〜ｓｆ２０のすべてをオンさせた場合、正極性で駆動される奇数番目のサブフィールド
の重みの総和が「６２５」になるのに対し、負極性で駆動される偶数番目のサブフィール
ドの重みの総和が「７２５」になる。このため、長い方の極性を基準として短い方の極性
が、この場合でいえば、負極性に対して正極性が約１４％も少なくなる。したがって、比
較例において、重みの大きなサブフィールドをオンさせたときに極性バランスが崩れやす
くなる。
これに対し、本実施形態では、同様にサブフィールドｓｆ１〜ｓｆ２０のすべてをオン
させた場合、正極性で駆動されるサブフィールドの重みの総和が「７００」になり、負極
性で駆動されるサブフィールドの重みの総和が「６５０」になる。このため、短い方の極
性に対して長い方の極性は、この場合でいえば、負極性に対して正極性が約７％少ないだ
けで済み、比較例の半分とさせることが可能となる。
【００２５】
本実施形態では、比較例との対比において、サブフィールドｓｆ１〜ｓｆ２０のすべて
をオンさせたときで説明したが、中間階調を表現する場合には、一部のサブフィールドだ
けをオンにすることが必要になる。
ここで、指定される階調が明るくなるにつれて、オンさせるサブフィールドの期間和が
長くなるようにサブフィールドのオンオフを規定する場合に、オンさせるサブフィールド
を離散的に、例えば１つおきに設定してしまうと、正極性または負極性のいずれかの一方
極性のサブフィールドだけがオンしてしまい、好ましくない。そこで、この場合には、２
以上のサブフィールドが連続してオンするように、特に本実施形態においては同じ書込極
性で連続するサブフィールドｓｆ１０、ｓｆ１１を含んでオンするように、設定すること
が好ましい。例えば、サブフィールドｓｆ１０、ｓｆ１１を含むように、サブフィールド
ｓｆ９〜ｓｆ１２が連続してオンするとき、正極性で駆動されるサブフィールドｓｆ９、
ｓｆ１２の重みの総和が「１０４」になり、負極性で駆動されるサブフィールドｓｆ１０
、ｓｆ１１の重みの総和が「１０２」になるので、極性差を僅少にすることができる。
【００２６】
反対に、図３で示される本実施形態において、書込極性が連続するサブフィールドｓｆ
１０、ｓｆ１１を含まないように、オンさせるサブフィールドを連続させた場合を検討し
てみる。例えば、図４に示されるようにサブフィールドｓｆ１〜ｓｆ１０をオンさせた場
合、正極性で駆動されるサブフィールドの重みの総和が「７５」になるのに対し、負極性
で駆動されるサブフィールドの重みの総和が「１００」になり、負極性に対して正極性は
２５％も少ない状況が発生し得る。
このように、指定されるレベルが明るくなるにつれて、オンさせるサブフィールドの期
間和が長くなるようにサブフィールドのオンオフを規定する場合に、同じ書込極性が連続
するサブフィールドを含むように、サブフィールドを連続させてオンさせることが好まし
いことが判る。そうであるならば、同じ書込極性で連続するサブフィールドの箇所が多い
ほど、極性差を小さくできる可能性が高まるはずである。
【００２７】
このため、図３に示すように書込極性を割り当てたサブフィールドについて、図５に示
されるように改良することが考えられる。
この図においては、１フレームを構成するサブフィールドｓｆ１〜ｓｆ２０を、５つの
グループに再編している。詳細には、サブフィールドｓｆ１〜ｓｆ４を第１グループに、
サブフィールドｓｆ５〜ｓｆ８を第２グループに、サブフィールドｓｆ９〜ｓｆ１２を第
３グループに、サブフィールドｓｆ１３〜ｓｆ１６を第４グループに、サブフィールドｓ
ｆ１７〜ｓｆ２０を第５グループに、それぞれ再編して、各グループを４個のサブフィー
ルドで構成している。
そして、ある一のグループの最後に位置するサブフィールドに割り当てられた書込極性
を、当該一のグループの次のグループの先頭に位置するサブフィールドに対しても割り当
てて、同一極性となる部分を設けるとともに、各グループに属するサブフィールドに対し
て、正極性および負極性が交互に割り当てられている。
このため、図５に示されるように、第１グループの最後に位置するサブフィールドｓｆ
４と第２グループの先頭に位置するサブフィールドｓｆ５とは負極性が割り当てられ、第
２グループの最後に位置するサブフィールドｓｆ８と第３グループの先頭に位置するサブ
フィールドｓｆ９とは正極性が割り当てられ、第３グループの最後に位置するサブフィー
ルドｓｆ１２と第４グループの先頭に位置するサブフィールドｓｆ１３とは負極性が割り
当てられ、第４グループの最後に位置するサブフィールドｓｆ１６と第４グループの先頭
に位置するサブフィールドｓｆ１７とは正極性が割り当てられ、いずれもグループの境界
を挟む２つのサブフィールド同士では、書込極性が同一となるように設定される。
【００２８】
図５の例において、サブフィールドｓｆ１〜ｓｆ２０のすべてをオンさせた場合、正極
性で駆動されるサブフィールドの重みの総和が「６６５」になり、負極性で駆動されるサ
ブフィールドの重みの総和が「６８５」になる。このため、短い方の極性に対して長い方
の極性は、この場合でいえば、負極性に対して正極性が約３％少ないだけで済み、２つの
グループに分けたときと比較して、さらに極性差を小さくすることが可能となる。
さらに、同じ書込極性で連続するサブフィールドの部分が４箇所あるので、当該箇所を
含むようにサブフィールドのオンを規定する際に、それだけ選択の余地（自由度）が拡が
る。このため、極性差を小さくする、という条件の下で、指定される階調に対してサブフ
ィールドのオンオフを規定することが、自由度が拡がった分だけ容易になる。
【００２９】
また、グループを構成するサブフィールドの個数を２以上の偶数にすると、１つのグル
ープ内では、互いに重みが接近するサブフィールド同士が正極性と負極性とで駆動される
とともに、正極性で駆動されるサブフィールドの個数と、負極性で駆動されるサブフィー
ルドの個数とが同じになるので、極性差をより小さくすることが可能となる。
なお、図３においては、サブフィールドｓｆ１〜ｓｆ２０を、１フレームにおいて重み
の小さいものの順に配列させたが、これとは反対に、重みの大きいものの順に配列させて
も良い。
【００３０】
次に、第２実施形態に係る駆動方法について説明する。
この第２実施形態に係る駆動方法については、図１に示した液晶表示装置１に適用され
て、第１実施形態とは、動作のみが異なる。そこで以下、説明の重複を避けるために、相
違点を中心に説明することにする。
【００３１】
図６は、第２実施形態の駆動方法におけるサブフィールドの構成を示す図である。この
図に示されるように、第２実施形態において、１フレームの期間が第１から第４までのグ
ループに等分割され、各グループでは、それぞれ４つのサブフィールドが重みの小さい順
に配列している。このため、１フレームは、計１６個のサブフィールドに分割されるので
、便宜的に、各サブフィールドについては１フレームの先頭から順番にｓｆ１、ｓｆ２、
ｓｆ３、…、ｓｆ１６と呼ぶことにする。
各グループ同士でみたときに、サブフィールドの重みおよび配列については互いに同一
である。すなわち、第１グループにおける４つのサブフィールドｓｆ１〜ｓｆ４の重みは
、それぞれ「１」、「２」、「４」、「８」に設定されている。同様に、第２グループの
サブフィールドｓｆ５〜ｓｆ８の重み、第３グループのサブフィールドｓｆ９〜ｓｆ１２
の重み、および、第４グループのサブフィールドｓｆ１３〜ｓｆ１６の重みについても、
それぞれ「１」、「２」、「４」、「８」に設定されている。
【００３２】
なお、第２実施形態において、１フレームを第１から第４までのグループに分割すると
ともに、各グループでサブフィールドの重みの順を同じにして、配列を繰り返している理
由は、構成の複雑化を避けて、比較的簡単な回路規模で実現するためである。
また、第２実施形態において、各グループにおいてサブフィールドの期間長を互いに異
ならせている理由は、第１実施形態と同様に、液晶の状態を細かくコントロールして、少
ないサブフィールド数で多くの階調を表現するためである。さらに、第２実施形態におい
ては、表示データＤaによって指定される階調レベルに対し、疑似輪郭を抑えるために、
第１実施形態と同様にサブフィールドｓｆ１〜ｓｆ１６にオンオフが割り当てられる。
【００３３】
走査線駆動回路１３０が、スタートパルスＤyをクロック信号Ｃlyで順次転送する構成
では、期間長が最も短いサブフィールドｓｆ１（ｓｆ５、ｓｆ９、ｓｆ１３）の期間内に
、当該転送を完了させる必要、すなわち、すべての走査線の選択を完了させる必要がある
が、例えば特開２００８−２８７０６３号公報に記載された技術を用いて、例えば走査線
を、１、（ｎ＋１）、２、（ｎ＋２）、３、（ｎ＋３）、４、（ｎ＋４）、…行目という
ようにｎ行だけ飛び越した順番で選択する構成として、同一面内において書込に係る走査
線を複数出現させても良い。
【００３４】
第２実施形態では、サブフィールドｓｆ１〜ｓｆ１６に対して書込極性が、図６に示さ
れるように割り当てられる。すなわち、第１グループに属するサブフィールドｓｆ１〜ｓ
ｆ４については正極性および負極性が交互に割り当てられる。第１グループの最後に位置
するサブフィールドｓｆ４に割り当てられた負極性は、第２グループの先頭に位置するサ
ブフィールドｓｆ５に割り当てられるとともに、サブフィールドｓｆ６、ｓｆ７、ｓｆ８
に対し、それぞれ順番に正極性、負極性、正極性が割り当てられる。これにより、第２グ
ループに属するサブフィールドｓｆ５〜ｓｆ８については負極性および正極性が交互に割
り当てられるとともに、第１グループと第２グループとの境界を挟むサブフィールドｓｆ
４と、ｓｆ５とでは負極性書込が連続することになる。
第２グループの最後に位置するサブフィールドｓｆ８に割り当てられた正極性は、第３
グループの先頭に位置するサブフィールドｓｆ９に割り当てられるとともに、サブフィー
ルドｓｆ１０、ｓｆ１１、ｓｆ１２に対し、それぞれ順番に負極性、正極性、負極性が割
り当てられる。同様に、第３グループの最後に位置するサブフィールドｓｆ１２に割り当
てられた負極性は、第４グループの先頭に位置するサブフィールドｓｆ１３に割り当てら
れるとともに、サブフィールドｓｆ１４、ｓｆ１５、ｓｆ１６に対し、それぞれ順番に正
極性、負極性、正極性が割り当てられる。これにより、第２グループと第３グループとの
境界を挟むサブフィールドｓｆ８と、ｓｆ９とでは正極性書込が連続し、第３グループと
第４グループとの境界を挟むサブフィールドｓｆ１２と、ｓｆ１３とでは負極性書込が連
続することになる。
【００３５】
第２実施形態において、画素に対して最も明るい階調とさせるためにサブフィールドｓ
ｆ１〜ｓｆ１６のすべてをオンさせた場合、正極性で駆動されるサブフィールドの重みの
総和も、負極性で駆動されるサブフィールドの重みの総和も、いずれも「３０」になり、
極性差をなくすことができる。
さらに、同じ書込極性で連続するサブフィールドの部分が３箇所あるので、当該箇所を
含むようにサブフィールドのオンを規定する際に、それだけ選択の余地が拡がるため、図
６の例においても、指定される階調に対してサブフィールドのオンオフを規定することが
容易になる。
【００３６】
なお、第２実施形態においては、１フレームを構成するグループ数を３以上の奇数個、
例えば図７に示されるように５個として、第１〜第５グループに分けても良い。
この図において、各グループの期間は、図６の例に対して４／５になるが、各グループ
を構成する４つのサブフィールドの重み（比率）自体は、図６の例と同じである。また、
図６の例では、第４グループの最後に位置するサブフィールドｓｆ１６に割り当てられた
正極性は、第５グループの先頭に位置するサブフィールドｓｆ１７に割り当てられるとと
もに、サブフィールドｓｆ１８、ｓｆ１９、ｓｆ２０に対し、それぞれ順番に負極性、正
極性、負極性が割り当てられる。これにより、第４グループと第５グループとの境界を挟
むサブフィールドｓｆ１６と、ｓｆ１７では正極性書込が連続することになる。
【００３７】
このように１フレームを構成するグループ数を５個に設定すると、フレームにおいて時
間的に最後に位置するサブフィールドｓｆ２０と、次のフレームにおいて時間的に先頭に
位置するサブフィールドｓｆ１とにおいて必ず極性反転するとともに、グループ同士の境
界を挟む２つのサブフィールドで同一極性が連続する箇所が偶数の４個になる。
ここで、液晶素子において正極性のオン駆動と負極性のオン駆動とでなんらかの理由に
よって透過率に差が生じている場合に、前後フレームで、同じオンオフパターンで駆動し
ても、極性反転の場所が異なっていたり、極性反転が異なる方向であったりすると、前後
フレームにおける明るさの差、すなわち、フリッカーとして視認されやすい。詳細には、
フリッカーが、垂直走査信号の周波数が６０Ｈｚであれば、その半分の３０Ｈｚという低
周波数成分で現れるので視認されやすい。
これに対して、図７の例では、前後フレームで比較したときに、図８の下図に示される
ように極性反転が同じ箇所で同じ方向に発生するので、前後フレームで、フリッカーとし
て視認されにくい。詳細には、フリッカーが、垂直走査信号の周波数が６０Ｈｚであれば
、その周波数と同じ６０Ｈｚという高周波数成分で現れるので視認されにくい。
【００３８】
なお、第２実施形態においても、第１実施形態と同様に、指定される階調が明るくなる
につれて、オンさせるサブフィールドの期間和が長くなるようにサブフィールドのオンオ
フを規定する場合に、２以上のサブフィールドが連続してオンするように設定することが
好ましい。ただし、例えば図７の例において、オンするサブフィールドが図９に示される
ように一部離散的になっても、極性差を小さく抑えることができる。
また、図６の例および図７の例においては、それぞれ各グループに属するサブフィール
ド数については４個にしたが、２以上であれば良い。また、各グループに属するサブフィ
ールドを、重みの小さいものの順にグループに配列させたが、これとは反対に、重みの大
きいものの順に配列させても良い。
【００３９】
さらに、第１実施形態や第２実施形態については駆動方法として説明したが、このよう
な駆動方法で、画素をそれぞれ駆動する液晶表示装置（電気光学装置）であっても良いの
はもちろんである。
【符号の説明】
【００４０】
１…液晶表示装置、１０…制御回路、２０…メモリー、３０…変換部、１００…表示回路
、１０５…液晶、１０８…コモン電極、１１６…ＴＦＴ、１１８…画素電極、１２０…液
晶素子、１３０…走査線駆動回路、１４０…データ線駆動回路
【図１】
2012113079.tif 000003
【図２】
2012113079.tif 000004
【図３】
2012113079.tif 000005
【図４】
2012113079.tif 000006
【図５】
2012113079.tif 000007
【図６】
2012113079.tif 000008
【図７】
2012113079.tif 000009
【図８】
2012113079.tif 000010
【図９】
2012113079.tif 000011
【図１０】
2012113079.tif 000012
【図１１】
2012113079.tif 000013
【図１２】
2012113079.tif 000014